(57)【要約】【課題】安価で効率的に、被塗装物の塗装を行えるようにする。【解決手段】例えば被塗装物に塗料を吹き付けて塗装を行う塗装において、被塗装物を吊す吊し治具に設けられて前記被塗装物を懸吊する搬送用保持具としての塗装用ハンガー１である。この塗装用ハンガー１は吊し治具に装着される装着部２を備えた支持部３と、該支持部３に設けられた複数の枝部４と、該枝部４の先端側に設けられた爪部５とを設けて形成し、該爪部５によって被塗装物を引っかける構成と成す。爪部５と支持部３と枝部５は導電性部材により形成し、爪部５を枝部４に着脱自在に設ける。枝部４の少なくとも先端部をパイプの形態と成し、該パイプに弾性部材のキャップ６を嵌め込み、その穴を介して、パイプの穴に爪部５の基端側を着脱自在に設ける。【選択図】図１
2011106016.tif 000002
【特許請求の範囲】
【請求項１】
被塗装物に塗料を吹き付けて行われるまたは被塗装物を塗料の中にくぐらせて行われる塗装において、前記被塗装物を吊す吊し治具に設けられて前記被塗装物を懸吊する被塗装物の搬送用保持具であって、該被塗装物の搬送用保持具は被塗装物を吊す吊し治具に対して着脱自在にまたは該吊し治具と一体的に設けられる支持部と、該支持部に設けられた一本以上の枝部と、該枝部に設けられた爪部とを有して、該爪部によって前記被塗装物を引っかける構成と成しており、該爪部が前記枝部に着脱自在に設けられていることを特徴とする被塗装物の搬送用保持具。
【請求項２】
被塗装物に塗料を吹き付けて行われるまたは被塗装物を塗料の中にくぐらせて行われる塗装において、前記被塗装物を吊す吊し治具に設けられて前記被塗装物を懸吊する被塗装物の搬送用保持具であって、該被塗装物の搬送用保持具は被塗装物を吊す吊し治具に対して着脱自在にまたは該吊し治具と一体的に設けられる支持部と、該支持部に設けられた爪部とを有して、該爪部によって前記被塗装物を引っかける構成と成しており、該爪部が前記支持部に着脱自在に設けられていることを特徴とする被塗装物の搬送用保持具。
【請求項３】
被塗装物に塗料を吹き付けて行われるまたは被塗装物を塗料の中にくぐらせて行われる塗装において、前記被塗装物を吊す吊し治具により形成されて前記被塗装物を懸吊する被塗装物の搬送用保持具であって、前記吊し治具には前記被塗装物を引っかける爪部が着脱自在に設けられていることを特徴とする被塗装物の搬送用保持具。
【請求項４】
請求項１または請求項２に記載の被塗装物の搬送用保持具が、被塗装物を吊す吊し治具に着脱自在または吊し治具と一体的に設けられており、前記吊し治具には前記被塗装物を引っかける爪部が着脱自在に設けられていることを特徴とする被塗装物の搬送用保持具。
【請求項５】
被塗装物の搬送用保持具は吊し治具に着脱自在に設けられる構成と成し、前記吊し治具への装着部近傍には、被塗装物の搬送用保持具を吊し治具から外すときに外力を加えたときの強度を高める補強部が設けられていることを特徴とする請求項１または請求項２または請求項４記載の被塗装物の搬送用保持具。
【請求項６】
爪部が設けられる爪部装着部位と爪部の基端側のいずれか一方に凸部が形成され他方に凹部が形成されて、該凹部に前記凸部が嵌合する構成と成していることを特徴とする請求項１乃至請求項５のいずれか一つに記載の被塗装物の搬送用保持具。
【請求項７】
爪部装着部位に凹部が形成されており、該爪部装着部位には少なくとも該爪部装着部位を覆うキャップが嵌め込まれていることを特徴とする請求項６記載の被塗装物の搬送用保持具。
【請求項８】
キャップは塗装時に加えられる熱に耐えられる耐熱性を有していることを特徴とする請求項７記載の被塗装物の搬送用保持具。
【請求項９】
キャップは弾性部材により形成されていることを特徴とする請求項７または請求項８記載の被塗装物の搬送用保持具。
【請求項１０】
キャップはシリコーン系材料により形成されていることを特徴とする請求項９記載の被塗装物の搬送用保持具。
【請求項１１】
少なくとも爪部と該爪部が装着される装着部位は導電性部材により形成されていることを特徴とする請求項１乃至請求項１０のいずれか一つに記載の被塗装物の搬送用保持具。
【請求項１２】
被塗装物に塗料を吹き付けて行われるまたは被塗装物を塗料の中にくぐらせて行われる塗装において、前記被塗装物を懸吊する被塗装物の搬送用保持具が、棒部を有する吊し治具に着脱自在に装着されており、該吊し治具には前記被塗装物の搬送用保持具装着側の面に前記被塗装物の搬送用保持具の装着部が装着される被装着部が介在部材を介して設けられて、該被装着部に前記被塗装物の搬送用保持具の装着部が装着されることにより該被塗装物の搬送用保持具が前記吊し治具に着脱自在に装着される構成と成しており、前記介在部材は前記吊し治具に前記被塗装物の搬送用保持具が装着されたときに該被塗装物の搬送用保持具の支持部と前記棒部との間にすき間を形成するための隙間形成手段と成していることを特徴とする被塗装物の搬送用保持具の装着構造。
【発明の詳細な説明】
【技術分野】
【０００１】
本発明は、被塗装物に電着塗装等の塗装を行うときに用いられる被塗装物の搬送用保持具およびその装着構造に関するものである。
【背景技術】
【０００２】
給湯器等の燃焼装置が家庭用、業務用等、様々な用途で用いられており、図８には、その一例の給湯器の外観図が模式的に示されている。同図に示すように、給湯器等の燃焼装置は、主に金属により形成された器具ケース１０を有し、器具ケース１０内に適宜の機能を有するシステム構成部が設けられている。
【０００３】
器具ケース１０は、例えば冷間圧延鋼板やステンレス鋼板等をプレス加工や溶接加工によって、ケース本体１０ａや蓋部１０ｂ等の形状に形成された後、電着塗装されて形成される。この電着塗装は、ケース本体１０ａや蓋部１０ｂ等の被塗装物に通電させて被塗装物を帯電しながら、該被塗装物に塗料を吹き付けて電着塗装を行うものである。塗料は液状のものを霧状にして用いることもできるが、粉体塗料を用いると、溶剤などを用いる必要がなく、環境負荷を低減できるし、塗装品の品質向上を図れる。
【０００４】
図９には、電着塗装工程の一例が、模式的な斜視図により示されている。同図に示すように、電着塗装においては、被塗装物１１を吊す吊し治具１２が用いられ、この吊し治具１２には被塗装物１１を懸吊する塗装用ハンガー１が着脱自在に設けられる。塗装用ハンガー１を装着した吊し治具１２が、例えば一定の速度で塗装ラインを移動することにより、塗装用ハンガー１に懸吊された被塗装物１１が塗装ライン内を移動し、塗装室内で電着塗装が行われた後、乾燥される。塗装室内では、例えば同図に示すように、塗料噴出用の噴出部１５から霧状の粉体塗料を噴出させて、被塗装物１１への電着塗装が行われる。
【０００５】
塗装用ハンガー１として、様々なものが提案されているが（例えば特許文献１、２、参照）、その一例として、図１０の平面図に示す塗装用ハンガー１が用いられている。この塗装用ハンガー１は金属製であり、吊し治具１２に装着される装着部２を備えた支持部３を有し、その支持部３には、先端側に爪部５が溶接された４本の枝部４が設けられている。電着塗装工程においては、塗装用ハンガー１の爪部５に被塗装物１１を引っかけ、塗装用ハンガー１を介して例えば６００００〜７００００Ｖの電圧（電流は３０μＡ程度）を被塗装物１１にかけて該被塗装物１１を例えば負に帯電させる。その状態で、被塗装物１１に、正に帯電させた粉体塗料を吹き付けることにより、該粉体塗料を被塗装物１１に静電力により吸着させる。
【先行技術文献】
【特許文献】
【０００６】
【特許文献１】特開平９−２１７１９８号公報
【特許文献２】特許第３３７５７４０号公報
【発明の概要】
【発明が解決しようとする課題】
【０００７】
ところで、前記のような電着塗装を繰り返し行うと、塗装を行う毎に、塗装用ハンガー１の爪部５に（粉体）塗料の塗膜が付着し、爪部５と被塗装物１１との接触部が少なくなり、被塗装物１１がずれ落ちてしまったり、被塗装物１１への通電不良による帯電不良が生じてしまったりすることがあった。このように、被塗装物１１の落下が生じると被塗装物１１に傷が付いてしまうことがあり、また、被塗装物１１の帯電不良が生じると、塗装を高品質に行うことができないため、非常に問題である。
【０００８】
なお、電着塗装以外でも、被塗装物に塗料を吹き付けて行われる塗装において用いられる塗装用ハンガー等の搬送用保持具は、前記と同様に、塗装用ハンガー１の爪部５に塗料の塗膜が付着することによって、爪部５と被塗装物１１との接触部が少なくなると、被塗装物１１がずれ落ちてしまうといった問題が生じる。
【０００９】
したがって、このような問題をなくすために、塗装用ハンガー１に付着した塗膜を剥離させることが必要であり、従来は、塗膜が付着した塗装用ハンガー１を吊し治具１２から外して塗膜の剥離作業（殴打、削り、浸漬等の作業）を行い、その間、別の塗装用ハンガー１を吊し治具１２に装着するといった作業を繰り返していた。
【００１０】
しかしながら、塗装用ハンガー１からの塗膜の剥離作業は非常に困難であるために、剥離に時間がかかる（例えば剥離作業を外注すると１週間程度かかる）。また、剥離費用がかかる上、剥離作業中に用いる別の（予備の）塗装用ハンガー１を多数用意しておかなければならないために、その分の費用もかかるといった問題があった。
【００１１】
また、前記の塗装用ハンガー１は吊し治具１２に着脱自在に設けられるが、この塗装用ハンガー１の吊し治具１２への装着部にも塗料の塗膜が付着するため、従来は、塗装用ハンガー１を吊し治具１２から外す作業に手間がかかるといった問題も生じていた。
【００１２】
本発明は、前記従来の課題を解決するために成されたものであり、その目的は、塗装用ハンガー等の、被塗装物の搬送用保持具に付着する塗料の塗膜の剥離費用等の削減を図ることができ、また、搬送用保持具を吊し治具に着脱自在に設ける場合にはその着脱作業の効率化を図ることができ、被塗装物の塗装を低コストで効率的に行えるようにできる被塗装物の搬送用保持具およびその装着構造を提供することにある。
【課題を解決するための手段】
【００１３】
本発明は上記目的を達成するために、次の構成をもって課題を解決する手段としている。すなわち、第１の発明の被塗装物の搬送用保持具は、被塗装物に塗料を吹き付けて行われるまたは被塗装物を塗料の中にくぐらせて行われる塗装において、前記被塗装物を吊す吊し治具に設けられて前記被塗装物を懸吊する被塗装物の搬送用保持具であって、該被塗装物の搬送用保持具は被塗装物を吊す吊し治具に対して着脱自在にまたは該吊し治具と一体的に設けられる支持部と、該支持部に設けられた一本以上の枝部と、該枝部に設けられた爪部とを有して、該爪部によって前記被塗装物を引っかける構成と成しており、該爪部が前記枝部に着脱自在に設けられている構成をもって課題を解決する手段としている。
【００１４】
また、第２の発明の被塗装物の搬送用保持具は、被塗装物に塗料を吹き付けて行われるまたは被塗装物を塗料の中にくぐらせて行われる塗装において、前記被塗装物を吊す吊し治具に設けられて前記被塗装物を懸吊する被塗装物の搬送用保持具であって、該被塗装物の搬送用保持具は被塗装物を吊す吊し治具に対して着脱自在にまたは該吊し治具と一体的に設けられる支持部と、該支持部に設けられた爪部とを有して、該爪部によって前記被塗装物を引っかける構成と成しており、該爪部が前記支持部に着脱自在に設けられている構成をもって課題を解決する手段としている。
【００１５】
さらに、第３の発明の被塗装物の搬送用保持具は、被塗装物に塗料を吹き付けて行われるまたは被塗装物を塗料の中にくぐらせて行われる塗装において、被塗装物を吊す吊し治具により形成されて前記被塗装物を懸吊する被塗装物の搬送用保持具であって、前記吊し治具には前記被塗装物を引っかける爪部が着脱自在に設けられている構成をもって課題を解決する手段としている。
【００１６】
さらに、第４の発明の被塗装物の搬送用保持具は、前記第１または第２の発明の被塗装物の搬送用保持具が、被塗装物を吊す吊し治具に着脱自在または吊し治具と一体的に設けられており、前記吊し治具には前記被塗装物を引っかける爪部が着脱自在に設けられている構成をもって課題を解決する手段としている。
【００１７】
さらに、第５の発明の被塗装物の搬送用保持具は、前記第１または第２または第４の発明の被塗装物の搬送用保持具が吊し治具に着脱自在に設けられる構成と成し、前記吊し治具への装着部近傍には、被塗装物の搬送用保持具を吊し治具から外すときに外力を加えたときの強度を高める補強部が設けられていることを特徴とする。
【００１８】
さらに、第６の発明の被塗装物の搬送用保持具は、前記第１乃至第５のいずれか一つの発明の構成に加え、前記爪部が設けられる爪部装着部位と爪部の基端側のいずれか一方に凸部が形成され他方に凹部が形成されて、該凹部に前記凸部が嵌合する構成と成していることを特徴とする。
【００１９】
さらに、第７の発明の被塗装物の搬送用保持具は、前記第６の発明の構成に加え、前記爪部装着部位に凹部が形成されており、該爪部装着部位には少なくとも該爪部装着部位を覆うキャップが嵌め込まれていることを特徴とする。
【００２０】
さらに、第８の発明の被塗装物の搬送用保持具は、前記第７の発明の構成に加え、前記キャップは塗装時に加えられる熱に耐えられる耐熱性を有していることを特徴とする。
【００２１】
さらに、第９の発明の被塗装物の搬送用保持具は、前記第７または第８の発明の構成に加え、前記キャップは弾性部材により形成されていることを特徴とする。
【００２２】
さらに、第１０の発明の被塗装物の搬送用保持具は、前記第９の発明の構成に加え、前記キャップはシリコーン系材料により形成されていることを特徴とする。
【００２３】
さらに、第１１の発明の被塗装物の搬送用保持具は、前記第１乃至第１０のいずれか一つの発明の構成に加え、少なくとも爪部と該爪部が装着される爪部装着部位は導電性部材により形成されていることを特徴とする。
【００２４】
さらに、第１２の発明の被塗装物の搬送用保持具の装着構造は、被塗装物に塗料を吹き付けて行われるまたは被塗装物を塗料の中にくぐらせて行われる塗装において、前記被塗装物を懸吊する被塗装物の搬送用保持具が、棒部を有する吊し治具に着脱自在に装着されており、該吊し治具には前記被塗装物の搬送用保持具装着側の面に前記被塗装物の搬送用保持具の装着部が装着される被装着部が介在部材を介して設けられて、該被装着部に前記被塗装物の搬送用保持具の装着部が装着されることにより該被塗装物の搬送用保持具が前記吊し治具に着脱自在に装着される構成と成しており、前記介在部材は前記吊し治具に前記被塗装物の搬送用保持具が装着されたときに該被塗装物の搬送用保持具の支持部と前記棒部との間にすき間を形成するための隙間形成手段と成していることを特徴とする。
【発明の効果】
【００２５】
本発明の被塗装物の搬送用保持具において、一つの構成として、被塗装物を吊す吊し治具に対して着脱自在または吊し治具と一体的に設けられる支持部を有し、該支持部に枝部が設けられ、この枝部に設けられた爪部によって前記被塗装物を引っかける構成と成している。また、別の構成として、前記支持部に設けられた爪部によって前記被塗装物を引っかける構成と成している。さらに、別の構成として、吊し治具を被塗装物の搬送用保持具とし、吊し治具に被塗装物を引っかける爪部を設けている。さらに、別の構成として、爪部が設けられている吊し治具に、吊し治具に対して着脱自在または吊し治具と一体的に設けられる支持部を有し、支持部または支持部に設けられた枝部に、被塗装物を引っかける爪部を設けている。
【００２６】
これらいずれの場合も、被塗装物を引っかける爪部は、爪部の装着部（つまり、枝部や支持部や吊し治具）に対して着脱自在に設けられており、したがって、従来の被塗装物の搬送用保持具の形成に必要であった爪部の溶接等の取り付け費用をなくすことができる。また、塗装を繰り返し行うことにより爪部に塗料の塗膜が付着したときには、爪部のみを外して塗膜の剥離作業を行えばよく、その剥離作業中は、別の爪部を枝部に装着すれば、被塗装物の搬送用保持具そのものを交換しなくても、爪部のみの交換によって、塗装を繰り返し行うことができる。そのため、被塗装物の搬送用保持具を予備に多数用意する必要はなく、また、塗膜の剥離作業も爪部のみであるので容易に行え、剥離費用も安く済む。したがって、塗装用にかかる費用を低減できる。
【００２７】
また、爪部の交換（塗膜剥離のための交換）を頻繁に行うことができるので、それにより、爪部に付着した塗料の塗膜の厚みが増して被塗装物が落下することをより一層確実に防ぐことができる。さらに、爪部の交換を頻繁にできるので、本発明の被塗装物の搬送用保持具を電着塗装用に適用した場合に、通電不良がおきることをより一層確実に防ぐことができるし、通電不良等が生じそうな時には、その前に予め爪部を交換すれば、通電不良等により塗装むらが生じることを事前に抑制でき、より効率的に被塗装物の電着塗装を行うことができる。さらに、廃品利用などによって、爪部を安価に形成できる場合には、爪部に付着した塗料の塗膜の剥離作業を行わずに、安価に大量に形成した爪部を被塗装物の搬送用保持具の枝部に付け替えて電着塗装を行うこともできる。
【００２８】
さらに、本発明の被塗装物の搬送用保持具において、被塗装物の搬送用保持具は吊し治具に着脱自在に設けられる構成と成し、前記吊し治具への装着部近傍には、被塗装物の搬送用保持具を吊し治具から外すときに外力を加えたときの強度を高める補強部が設けられている構成によれば、被塗装物の搬送用保持具を吊し治具から外す作業時に、吊し治具への装着部に外力を加えてもその外力によって装着部が変形するといったことを防ぐことができ、被塗装物の搬送用保持具の耐久性を高めて、その寿命をより長くできる。
【００２９】
さらに、本発明の被塗装物の搬送用保持具において、爪部が設けられる爪部装着部位と爪部の基端側のいずれか一方に凸部が形成され他方に凹部が形成されて、該凹部に前記凸部が嵌合する構成と成している構成によれば、爪部をねじ止め等により着脱する場合よりも、凸部と凹部との嵌合によって、爪部の着脱をより容易に行うことができる。
【００３０】
さらに、本発明の被塗装物の搬送用保持具において、爪部装着部位に凹部が形成されており、該爪部装着部位には少なくとも該爪部装着部位を覆うキャップが嵌め込まれている構成によれば、爪部の装着部に塗料が詰まることを抑制できる。また、そのキャップを、塗装時に加えられる熱に耐えられる耐熱性を有する構成とすることによって、塗装時の熱によってキャップが変形したりすることを防ぐことができる。
【００３１】
さらに、キャップを弾性部材により形成することにより、キャップを外して指でキャップをもむこと等により、キャップに付着した塗料の塗膜を容易に剥離させることができる。特に、キャップをシリコーン系材料により形成すると、耐熱性が良好であり、しかも、キャップに塗料の塗膜が付着しにくくできるので、塗料の塗膜剥離の手間をより少なくできるし、柔らかいので、付着した塗膜を除去するときに、指でもむだけで、より一層容易に塗膜をはがすことができる。
【００３２】
さらに、本発明の被塗装物の搬送用保持具において、少なくとも爪部と該爪部が装着される装着部位を導電性部材により形成することによって、爪部を介して被塗装物を帯電させ、電着塗装用に用いることができる。
【００３３】
さらに、本発明の被塗装物の搬送用保持具の装着構造によれば、吊し治具には、その棒部の被塗装物の搬送用保持具装着側に、被塗装物の搬送用保持具の装着部を装着する被装着部を介在部材を介して設けて、該被装着部に被塗装物の搬送用保持具の装着部を着脱自在に装着するが、前記介在部材を、前記吊し治具に装着された被塗装物の搬送用保持具の支持部と前記棒部との間にすき間を形成するための隙間形成手段と成すことにより、被塗装物に吹き付けられる塗料が付着することによって被塗装物の搬送用保持具の支持部が吊し治具の棒部にくっついて取りにくくなるといったことを防ぐことができる。したがって、効率的に電着塗装を行えるようにすることができる。
【図面の簡単な説明】
【００３４】
【図１】本発明に係る被塗装物の搬送用保持具の一実施例を説明するための模式的な斜視説明図である。
【図２】一実施例の被塗装物の搬送用保持具を設ける吊し治具の例を示す側面図（ａ）と正面図（ｂ）である。
【図３】一実施例の被塗装物の搬送用保持具の吊し治具への装着構造例を示す側面説明図である。
【図４】被塗装物の搬送用保持具の他の実施例を示す説明図である。
【図５】被塗装物の搬送用保持具のさらに他の実施例を示す説明図である。
【図６】被塗装物の搬送用保持具のさらに他の実施例を示す説明図である。
【図７】被塗装物の搬送用保持具のさらに他の実施例を示す説明図である。
【図８】給湯器の一例を示す外観図である。
【図９】電着塗装工程を説明するための模式的な説明図である。
【図１０】従来用いられている被塗装物の搬送用保持具の一例を示す説明図である。
【発明を実施するための形態】
【００３５】
以下、本発明の実施の形態を図面に基づき説明する。なお、本実施例の説明において、従来例と同一名称部分には同一符号を付し、その重複説明は省略または簡略化する。
【実施例】
【００３６】
図１には、本発明に係る被塗装物の搬送用保持具の一実施例が示されている。本実施例の被塗装物の搬送用保持具は、同図に示す塗装用ハンガー１であり、図１０に示した従来例と同様に、装着部２を備えた支持部３と、その先端側に設けられた４本の枝部４とを有している。本実施例の塗装用ハンガー１が従来例と異なる特徴的なことは、図１（ａ）、（ｂ）に示すように、枝部４の先端側に設けられた爪部５が、枝部４に着脱自在に設けられていることである。
【００３７】
爪部５と支持部３と枝部４は、いずれも導電性部材である金属により形成されている。具体的には、支持部３は鉄製の円柱状の棒の形態と成しており、枝部４はステンレス製のパイプの形態と成している。なお、パイプは、本実施例では、中空形状が円形状のものを適用しているが、中空形状が楕円でもよいし、多角形でもよい。また、枝部４の先端側のみをパイプの形態としてもよい。このパイプの穴（凹部）に、図１（ｂ）に示すような、爪部５の基端側の凸部５ａが嵌合し、着脱自在に設けられている。なお、爪部５は、亜鉛メッキ鉄の薄い（例えば５ｍｍ程度）の平板状に形成されており、このように、爪部５を平板状に形成することにより、爪部５に付着した塗料の塗膜の除去を容易に行うことができる。前記パイプと爪部５との装着領域には、シリコーン製の弾性部材により形成されたキャップ６（図１（ｂ）、参照）が嵌め込まれている。
【００３８】
本実施例では、爪部５の基端側５ａをキャップ６の穴１６に挿入することにより、爪部５をワンタッチでキャップ６を介して枝部４に容易に装着でき、爪部５を摩擦力によって固定できるし、爪部５を穴１６から外すことにより容易に取り外すことができる。また、キャップ６の穴１６の形状は特に限定されるものではないが、本実施例では、図１（ｂ）に示すように、楕円形状に形成されており、それにより、爪部５の先端の向きを自在に調整設定できるし、爪部５のぶれを防止することができる。
【００３９】
支持部３の吊し治具１２への装着部近傍には、金属製のたたきしろ７が支持部３に沿って平板状に形成されている。このたたきしろ７は、塗装用ハンガー１を吊し治具１２から外すときに外力を加えた時の強度を高める補強部として機能するものである。なお、塗装用ハンガー１を吊し治具１２から外すときには、通常、たたきしろ７をたたく作業を行うようにしているが、この作業はたたく以外の作業としてもよく、補強部は、たたく力以外の外力にたいしても、その強度を高める補強部として機能する。
【００４０】
図２には、本実施例の塗装用ハンガー１を装着する吊し治具１２の例が示されている。この吊し治具１２は、上下方向に伸長された棒部１３を有し、該棒部１３の被塗装物の搬送用保持具装着側の面には、塗装用ハンガー１の装着部が装着される被装着部８が、介在部材９を介して設けられている。この介在部材９は、金属製の平板により形成されており、その厚みＴは特に限定されるものではないが、本実施例では３ｍｍとしている。また、被装着部８には、塗装用ハンガー１のぶれを抑制するためのフック部１４が設けられている。
【００４１】
図３に示すように、被装着部８に塗装用ハンガー１の装着部２が装着されることにより、塗装用ハンガー１が吊し治具１２に着脱自在に装着される構成と成しており、前記介在部材９は、吊し治具１２に塗装用ハンガー１が装着されたときに該塗装用ハンガー１の支持部３と吊し治具１２の棒部１２との間にすき間Ｓを形成するための隙間形成手段と成している。
【００４２】
本実施例の塗装用ハンガー１は、例えば図３に示すような装着構造で吊し治具１２に装着され、塗装用ハンガー１の爪部５には、給湯器の器具ケース等の適宜の被塗装物１１が引っかけられる。そして、吊し治具１２と塗装用ハンガー１とを介して被塗装物１１に通電が行われ、被塗装物１１を帯電しながら該被塗装物１１に塗料を吹き付けることにより、電着塗装が行われる。ここで、吹き付ける塗料は粉体塗料としているが、液状の塗料を適用することもできる。
【００４３】
なお、本発明は前記実施例に限定されることなく、様々な実施の形態を採り得る。例えば、前記実施例では、枝部４は支持部３の先端側に４本設けたが、枝部４の本数や配設箇所は適宜設定されるものであり、例えば図４、図５に示すような態様など、様々に設定されるものである。なお、図４に示す例は、枝部４を支持部３の途中にも設けた構成であり、図５に示す例は、枝部４を省略し、支持部３に爪部５を設けた例である。図５の例では、支持部３の少なくとも先端側をパイプの形状とし、爪部５の基端側の凸部を挿入している。図４、図５に示す例においても、少なくともそれぞれの爪部装着部に、キャップ６が設けられている。
【００４４】
さらに、図６に示すように、吊し治具１２を被塗装物の搬送用保持具とし、吊し治具１２に爪部５を設けてもよい。この例においても、吊し治具１２の爪部５が装着される部位には、穴が形成されており、その穴に爪部５の基端側の凸部を挿入している。また、少なくともそれぞれの爪部装着部に、キャップ６が設けられている。
【００４５】
さらに、図７に示すように、爪部５を着脱自在に設けた吊し治具１２に、前記実施例のような塗装用ハンガー１を着脱自在に設けてもよい。また、図４、図５に示したような塗装用ハンガー１を、爪部５を着脱自在に設けた吊し治具１２に設けてもよい。
【００４６】
さらに、前記実施例では、爪部５の基端側５ａを、キャップ６を介して枝部４のパイプの穴に挿入したが、枝部４に穴以外の凹部を形成し、その凹部に爪部５の基端側５ａを挿入してもよい。同様に、支持部３に爪部５を着脱自在に装着する構成においては、支持部３に穴以外の凹部を形成し、その凹部に爪部５の基端側５ａを挿入してもよいし、吊し治具１２に爪部５を着脱自在に装着する構成においては、吊し治具１２の爪部装着部位に穴以外の凹部を形成し、その凹部に爪部５の基端側５ａを挿入してもよい。
【００４７】
さらに、爪部５の基端側５ａに凹部を形成し、爪部５を装着する枝部４や支持部３、吊し治具１２側に、爪部５側の前記凹部に嵌合する凸部を形成してもよい。
【００４８】
さらに、前記実施例では、キャップ６をシリコーン製としたが、シリコーン以外の、例えばＰＥＥＫ（ポリエーテルエーテルケトン）等の弾性部材により形成することもできるし、キャップ６をシリコーンにより形成する場合に、導電性シリコーンとしてもよい。なお、電着塗装等の塗装工程において、現在は、塗料噴出時に塗装用ハンガー１にも熱がかかるので、その場合には、塗装工程時にかかる熱に対する耐熱性がキャップ６にも必要である。また、キャップ６は、弾性部材でなくてもよい。さらに、キャップ６を省略してもよい。この場合、例えば、ねじ止め等によって爪部５を枝部４や支持部３や吊し治具１２の爪部装着部位に着脱自在に設けてもよい。
【００４９】
さらに、前記実施例および図４、図５、図７に示した塗装用ハンガー１は、いずれも、たたきしろ７を有していたが、たたきしろ７等の補強部は省略することもできる。
【００５０】
さらに、塗装用ハンガー１や吊し治具１２の形成材料は特に限定されるものでなく、適宜設定されるものである。なお、塗装用ハンガー１や吊し治具１２を電着塗装用として用いる場合は、少なくとも爪部５と該爪部５が装着される装着部位を導電性部材により形成することが必要となる。導電性材料は、例えば導電性樹脂とすることもできるが、強度を高めるためには、鉄、ステンレス、銅等の金属製とすることが望ましい。
【００５１】
さらに、本発明の被塗装物の搬送用保持具を吊し治具１２に着脱自在にまたは一体的に設ける場合、その吊し治具１２は、必ずしも前記実施例で示した態様とは限らず、被塗装物の搬送用保持具を着脱自在に装着できるように適宜形成されるものである。
【００５２】
さらに、これまでの説明においては、塗装用ハンガー１は、吊し治具１２に着脱自在に設けられている例について述べたが、塗装用ハンガー１を吊し治具１２と一体的に設けてもよい。
【００５３】
さらに、これまでの説明においては、塗装用ハンガー１や吊し治具１２は、電着塗装用に適用する例について述べたが、電着塗装以外の塗装用として用いてもよい。さらに、本発明は、被塗装物を塗料の中にくぐらせて行われる塗装においても適用できる。
【産業上の利用可能性】
【００５４】
本発明の被塗装物の搬送用保持具およびその装着構造は、被塗装物の電着塗装等の塗装を、安価で効率的に行えるようにできるので、給湯器をはじめとする燃焼装置や、その他、様々な被塗装物の塗装用として利用できる。
【符号の説明】
【００５５】
１      塗装用ハンガー
２      装着部
３      支持部
４      枝部
５      爪部
５ａ    基端側
６      キャップ
７      たたきしろ
８      被装着部
９      介在部材
１０    器具ケース
１１    被塗装物
１２    吊し治具
１３    棒部
【図１】
2011106016.tif 000003
【図２】
2011106016.tif 000004
【図３】
2011106016.tif 000005
【図４】
2011106016.tif 000006
【図５】
2011106016.tif 000007
【図６】
2011106016.tif 000008
【図７】
2011106016.tif 000009
【図８】
2011106016.tif 000010
【図９】
2011106016.tif 000011
【図１０】
2011106016.tif 000012